(57)【特許請求の範囲】
【請求項１】
本体フレームの前後方向に延びる溝に嵌まる突起を有し、前記本体フレームに対し開閉自在であるとともに、閉じたときには、保持した従動ローラを付勢手段を介して駆動ローラに付勢する排紙フレームを備え、
この排紙フレームを開くときには、前記付勢手段による付勢力に抗して当該排紙フレームを前記溝内で突起を変位させて引き出し、回転させることにより、前記付勢手段の付勢力によって前記排紙フレームの拡開状態を保持するように構成したことを特徴とする排紙ユニット。
【請求項２】
前記溝の上縁部の一部を覆う規制部を備え、前記突起が、前記規制部に接触可能な平坦面を有する基部と、この基部に連なり、溝内に保持される円柱部とで構成されていることを特徴とする請求項１記載の排紙ユニット。
【請求項３】
駆動ローラ及び従動ローラを有する用紙搬送手段と、搬送される用紙に文字を含む画像を記録する記録手段とを備え、
本体フレームの前後方向に延びる溝に嵌まる突起を有し、前記本体フレームに対し開閉自在であるとともに、閉じたときには、保持した従動ローラを付勢手段を介して駆動ローラに付勢する排紙フレームを備え、
この排紙フレームを開くときには、前記付勢手段による付勢力に抗して当該排紙フレームを前記溝内で突起を変位させて引き出し、回転させることにより、前記付勢手段の付勢力によって前記排紙フレームの拡開状態を保持するように構成したことを特徴とする記録装置。
【請求項４】
前記溝の上縁部の一部を覆う規制部を備え、前記突起が、前記規制部に接触可能な平坦面を有する基部と、この基部に連なり、溝内に保持される円柱部とで構成されていることを特徴とする請求項３記載の記録装置。
【発明の詳細な説明】
【０００１】
【発明の属する技術分野】
本発明は、排紙フレームを備えた排紙ユニット及び記録装置に関する。
【０００２】
【従来の技術】
一般に、駆動ローラ及び従動ローラを有する用紙搬送手段と、搬送される用紙に文字、画像を含む情報を記録する記録手段とを備え、本体フレームに対し開閉自在であり、駆動ローラに対向する従動ローラを保持し、閉じたときには駆動ローラから反発しないようにばね部材によって保持される排紙フレームを備えた記録装置が知られている。この種の従来の記録装置では、リボン交換時や紙ジャム発生時に、上記排紙フレームが、支点回りに旋回して開かれて、リボン交換、又は紙除去がおこなわれ、リボン交換後、或いは紙の除去後に、同じく支点回りに旋回して、排紙フレームが閉じられる。
【０００３】
【発明が解決しようとする課題】
しかし、従来の構成では、排紙フレームが閉じられたとき、それを安定させるため、従動ローラを付勢するばねのばね力よりも、大きいばね力を有する安定ばねを用いて、排紙フレームを駆動ローラ側に付勢する必要がある。この場合、排紙フレームを閉じたときの安定性には優れるものの、排紙フレームを開くときに、かなり大きな力が必要になるという問題がある。
【０００４】
そこで、本発明の目的は、上述した従来の技術が有する課題を解消し、排紙フレームを閉じたときの安定性に優れるとともに、排紙フレームを開くときにも、それほど大きな力を必要としない構造を備えた、排紙ユニット及び記録装置を提供することにある。
【０００５】
【課題を解決するための手段】
請求項１記載の排紙ユニットに係る発明は、本体フレームの前後方向に延びる溝に嵌まる突起を有し、前記本体フレームに対し開閉自在であるとともに、閉じたときには、保持した従動ローラを付勢手段を介して駆動ローラに付勢する排紙フレームを備え、この排紙フレームを開くときには、前記付勢手段による付勢力に抗して当該排紙フレームを前記溝内で突起を変位させて引き出し、回転させることにより、前記付勢手段の付勢力によって前記排紙フレームの拡開状態を保持するように構成したことを特徴とする。
【０００７】
請求項２記載の発明は、請求項１記載のものにおいて、前記溝の上縁部の一部を覆う規制部を備え、前記突起が、前記規制部に接触可能な平坦面を有する基部と、この基部に連なり、溝内に保持される円柱部とで構成されていることを特徴とする。
【０００９】
請求項３記載の記録装置に係る発明は、駆動ローラ及び従動ローラを有する用紙搬送手段と、搬送される用紙に文字を含む画像を記録する記録手段とを備え、本体フレームの前後方向に延びる溝に嵌まる突起を有し、前記本体フレームに対し開閉自在であるとともに、閉じたときには、保持した従動ローラを付勢手段を介して駆動ローラに付勢する排紙フレームを備え、この排紙フレームを開くときには、前記付勢手段による付勢力に抗して当該排紙フレームを前記溝内で突起を変位させて引き出し、回転させることにより、前記付勢手段の付勢力によって前記排紙フレームの拡開状態を保持するように構成したことを特徴とする。
【００１１】
請求項４記載の発明は、請求項３記載のものにおいて、前記溝の上縁部の一部を覆う規制部を備え、前記突起が、前記規制部に接触可能な平坦面を有する基部と、この基部に連なり、溝内に保持される円柱部とで構成されていることを特徴とする。
【００１３】
【発明の実施の形態】
以下、本発明の実施の形態を、図面に基づき説明する。
【００１４】
図１は、本発明に係る記録装置の一実施の形態が適用されたドットインパクトプリンタのプリンタ本体を示す側断面図である。
【００１５】
この図に示す記録装置としてのプリンタ１０は、記録ヘッド１８の多数の記録ワイヤを、インクリボン（不図示）を介してシートに打ち付けてドットを記録することにより、文字を含む画像を印刷するドットインパクトプリンタである。このプリンタ１０は、記録装置本体としてのプリンタ本体１１と、プリンタ本体１１に装着されたプッシュトラクタユニット１２と、プリンタ本体１１の上方、下方をそれぞれ覆うアッパケース１１Ａ及びロアケース１１Ｂと、プリンタ本体１１の前方側に設置されてカットシートＫを案内するシート供給ガイド３８と、を有して構成される。
【００１６】
上記シートには、所定長さに切断された上記カットシートＫと、複数枚が連接された連続シートとがある。カットシートＫとしては、例えば単票紙（単票複写紙を含む）又はカットフィルム等があり、連続シートとしては連続紙（連続複写紙を含む）がある。
【００１７】
上記プリンタ本体１１は、図２に示すように、本体フレームとしてのベースフレーム１４、メインフレーム１５、左サイドフレーム１６及び右サイドフレーム１７と、記録機構部としての記録ヘッド１８及びキャリッジ１９と、シート搬送機構部としての平プラテン２０、シート案内２５、第１搬送ローラ（駆動ローラ）２１、この第１搬送ローラ２１に対向する第２搬送ローラ（従動ローラ、不図示）、第３搬送ローラ（従動ローラ）２３及びこれに対向する第４搬送ローラ（駆動ローラ）２４と、を有して構成される。また、４２はステーショナリー形式のリボンカートリッジであり、このリボンカートリッジ４２にはインクリボンが収納されている。
【００１８】
図３は、リボンカートリッジ４２を取り除いた状態を示し、図４は、記録ヘッド１８を含む縦断面を示している。
【００１９】
ベースフレーム１４及びメインフレーム１５の略両端部に、左サイドフレーム１６及び右サイドフレーム１７が立設して固定される。これらの左サイドフレーム１６と右サイドフレーム１７間に、キャリッジガイド板２６とキャリッジ軸２７とが上下前後方向に所定距離離れて架け渡される。キャリッジ軸２７は左サイドフレーム１６及び右サイドフレーム１７に回動自在に枢支される。左サイドフレーム１６と右サイドフレーム１７間に平プラテン２０が架け渡されて配設されると共に、シート案内２５が固定して配設される。
【００２０】
上記プッシュトラクタユニット１２は、連続シート（例えば連続紙）を、プラテン２０を備えた上記シート搬送機構部へ供給するものであり、左右一対のトラクタ２８を有する。これらのトラクタ２８は、トラクタ駆動軸２９に回転一体且つ軸方向摺動自在に軸支されたトラクタ駆動プーリ２９Ａと、トラクタガイド軸３０に回転自在且つ軸方向に摺動自在に軸支されたトラクタ従動プーリ（不図示）とにトラクタベルト３１が巻き掛けられ、シート押え蓋３２を備えて構成される。一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された孔（不図示）に係合可能とされる。プラテン２０を含む上記シート搬送機構部は、プラテン２０に対し、第１搬送ローラ２１及び第２搬送ローラ（不図示）がプリンタ本体１１の前方側に、第３搬送ローラ２３及び第４搬送ローラ２４がプリンタ本体１１の後方側にそれぞれ配置されて構成される。更に、第１搬送ローラ２１と第２搬送ローラ（不図示）が、また第３搬送ローラ２３と第４搬送ローラ２４が、それぞれ上下方向に配置されて対をなしている。
【００２１】
このうち、第１搬送ローラ２１及び第３搬送ローラ２３は、プラテン２０と共にシート案内２５の下方に配置され、第２搬送ローラ（不図示）及び第４搬送ローラ２４がシート案内２５の上方に配置される。
【００２２】
第１搬送ローラ２１、第２搬送ローラ（不図示）、第３搬送ローラ２３及び第４搬送ローラ２４は、図１に示す駆動輪列部３４により、図中時計方向（ＣＷ）または反時計方向（ＣＣＷ）に回転駆動される。また、上記プッシュトラクタユニット１２のトラクタベルト３１は、同様に駆動輪列部３４により反時計方向に駆動される。
【００２３】
上記駆動輪列部３４は、左サイドフレーム１６又は右サイドフレーム１７の一方、例えば右サイドフレーム１７に設置される。この駆動輪列部３４は、正転または逆転可能なシート供給モータ３５の駆動軸に回転一体に固定されたモータピニオン３６を備える。このモータピニオン３６からの駆動力が巻掛け伝動機構や歯車機構等の駆動輪列部３４を介して、第１搬送ローラ２１、第２搬送ローラ（不図示）、第３搬送ローラ２３、第４搬送ローラ２４及びプッシュトラクタユニット１２へ伝動可能とされる。
【００２４】
駆動輪列部３４のうちの係合解除ギア３４Ａは、モータピニオン３６からの駆動力を、プッシュトラクタユニット１２のトラクタベルト３１に伝動、或いは不伝動のいずれかに切り換えるギアである。
【００２５】
単票紙又は複写紙等のカットシートＫは、プリンタ本体１１の前方側から手動供給された後、第１搬送ローラ２１及び第３搬送ローラ２３の時計方向の回転、並びに第２搬送ローラ（不図示）、第４搬送ローラ２４の反時計方向の回転により、プリンタ本体１１の前方から後方へ向かって矢印Ａ方向に搬送される。また、上記カットシートＫは、第１搬送ローラ２１及び第３搬送ローラ２３の反時計方向の回転、並びに第２搬送ローラ（不図示）、第４搬送ローラ２４の時計方向の回転により、プリンタ本体１１の後方から前方へ向かって矢印Ｂ方向に搬送される。
【００２６】
また、連続紙等の連続シートは、プッシュトラクタユニット１２によりプリンタ本体１１の後方側から上述の矢印Ｂ方向に供給された後、第１搬送ローラ２１、第２搬送ローラ（不図示）、第３搬送ローラ２３及び第４搬送ローラ２４によりプリンタ本体１１の後方から前方へ、もしくは前方から後方へ（矢印Ｂ方向もしくはＡ方向）に搬送される。
【００２７】
これにより、カットシートＫ及び連続シートは、キャリッジ１９の後述の主走査方向に直交する副走査方向に搬送される。
【００２８】
上記キャリッジ１９は、図４に示すように、キャリッジ軸２７に摺動自在に挿通されると共に、記録ヘッド１８を搭載する。
【００２９】
キャリッジ軸２７がプラテン２０と平行に配置されることから、キャリッジ１９は、これらプラテン２０、キャリッジ軸２７の軸方向と一致する主走査方向に走行（走査）可能に設けられる。このキャリッジ１９は、キャリッジ駆動モータ（不図示）の正転又は逆転により往復移動されるタイミングベルト（不図示）に結合される。従って、このキャリッジ１９は、キャリッジ駆動モータの正転又は逆転により、タイミングベルトを介し、キャリッジ軸２７に案内されて、主走査方向における図２又は図３の左向き又は右向きに走査される。
【００３０】
ここで、キャリッジ駆動モータは、シート供給モータと共に例えばステッピングモータにて構成される。
【００３１】
キャリッジ１９には、図４に示すように、ステーショナリー形式のリボンカートリッジ４２内のインクリボンから、プラテン２０の上面に接して搬送されるシート（カットシートまたは連続シート）を保護するリボンマスクホルダ４１が設置されている。リボンカートリッジ４２内のインクリボンは、リボン駆動軸４３により駆動されて、記録ヘッド１８の記録ワイヤの前方を、主走査方向と同一の方向に移動可能に構成される。
【００３２】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走査される間に、記録ワイヤを突出させてインクリボンに打ち当て、このインクリボンのインクを、プラテン２０と記録ヘッド１８との間に搬送されるシート（カットシートＫ又は連続シート）に付着させて、このシートに文字を含む画像を記録する。
【００３３】
記録ヘッド１８による記録動作は、キャリッジ１９が主走査方向左向き又は右向きに走査される間に、記録ヘッド１８の記録ワイヤにより一行文の記録がなされ、この一行文の記録がなされる度に、シートがカットシートＫの場合には、シート搬送機構部（プラテン２０、第１搬送ローラ２１、第２搬送ローラ（不図示）、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００３４】
ところで、上述した平プラテン２０の前方には、図２に示すように、プリンタ本体１１から排出される用紙を受けとる排紙ユニット５０が設置されている。この排紙ユニット５０は排紙フレーム５１を備え、この排紙フレーム５１は、図２及び図５に示す閉じた使用状態から、図６に示す開いた跳ね上げ状態に変位自在に構成されている。そして、この排紙フレーム５１は、左サイドフレーム１６及び右サイドフレーム１７間に開閉自在に支持され、上述した第１搬送ローラ（駆動ローラ）２１に対向する第２搬送ローラ（従動ローラ）２２を一体に保持して構成されている。
【００３５】
この排紙フレーム５１は、図５の閉じた状態において、戻しばね５２を介して、第２搬送ローラ（従動ローラ）２２を、適宜な力で、第１搬送ローラ（駆動ローラ）２１の外周に圧接する方向に付勢されている。この戻しばね５２の一端５２Ａは、排紙フレーム５１のピン５１Ａに連結され、戻しばね５２の他端５２Ｂは、右サイドフレーム（又は左サイドフレーム）１７の固定部１７Ａに連結されている。図５の閉じた状態では、固定部１７Ａがピン５１Ａよりも下位に位置し、これらの間に張設された戻しばね５２によって、排紙フレーム５１が後方下側に引っ張られている。
【００３６】
図７は、排紙フレーム５１と右サイドフレーム１７間の連結構造を示す分解斜視図である。右サイドフレーム１７にはトラック形状を有する規制部材５３が一体的に形成されている。この規制部材５３は、前後方向に延びる楕円状の溝５４と、この溝５４の上縁部の一部を覆う規制部５５とを備え、排紙フレーム５１には溝５４に嵌まる突起５６を備えて構成されている。この突起５６は、規制部５５に対向する平坦面５６Ａを有する基部５６Ｂと、この基部５６Ｂに連なり、溝５４内に保持される円柱部５６Ｃとで構成されている。
【００３７】
なお、排紙フレーム５１と左サイドフレーム１６間にも同様の構造が採用されるが、図示は省略する。
【００３８】
つぎに、排紙フレーム５１の開閉動作を説明する。
【００３９】
プリンタ１０の記録動作時には、図２及び図５に示すように、排紙フレーム５１が、左サイドフレーム１６及び右サイドフレーム１７間に支持され、この場合、戻しばね５２を介して、第２搬送ローラ２２が、適宜な力で、第１搬送ローラ２１の外周に圧接されている。これによれば、排紙フレーム５１を閉じたときの安定性を確保することができる。
【００４０】
リボン交換時や紙ジャム発生時には、排紙フレーム５１が、図６に示すように開かれて、リボン交換、又は紙除去がおこなわれ、リボン交換後、或いは紙の除去後に、図５の状態に閉じられる。
【００４１】
排紙フレーム５１を開く場合、図５において、まず排紙フレーム５１を、戻しばね５２のばね力に抗して手前（矢印Ａ方向）に引く。すると、排紙フレーム５１の突起５６が、トラック形状を有する規制部材５３の一端から他端に向けて楕円状の溝５４内を同方向に移動し、排紙フレーム５１が引き出される。
【００４２】
この突起５６が規制部５５から外れるまでの間は、基部５６Ｂの平坦面５６Ａが、この規制部５５に対向しているため、排紙フレーム５１が跳ね上げ状態に移行することができない。
【００４３】
突起５６が規制部５５から外れると、基部５６Ｂの平坦面５６Ａが、規制部５５に対向しなくなるため、図６に示すように、突起５６を溝５４の前端に当接させた状態で、この突起５６を支点として、矢印Ｂ方向に回転し、排紙フレーム５１が跳ね上げられる。
【００４４】
本実施形態では、突起５６の基部５６Ｂの平坦面５６Ａが規制部５５から外れるまで、排紙フレーム５１を引き出して、この突起５６を溝５４の前端に当接させ、この規制部５５による規制が解除された後に、この突起５６を支点として、排紙フレーム５１を回転させて跳ね上げるため、この排紙フレーム５１を跳ね上げるに際しては、従来のように過大なばね力が作用することがなく、簡単に跳ね上げることができる。
【００４５】
戻しばね５２のばね力は、排紙フレーム５１の跳ね上げ時に、跳ね上げ力を阻害する方向にはほとんど作用しない。
【００４６】
跳ね上げた排紙フレーム５１を閉じるには、図６において、排紙フレーム５１を矢印Ｂと逆方向に回転させる。すると、戻しばね５２のばね力によって、排紙フレーム５１が、図５の矢印Ａと逆方向に引かれて移動し、突起５６が溝５４の後端に当接する。突起５６が溝５４の後端に当接すると、基部５６Ｂの平坦面５６Ａが、規制部５５に対向するため、これに規制されて排紙フレーム５１が浮き上がることがなく、これによって、第２搬送ローラ２２が、第１搬送ローラ２１の外周に圧接される。
【００４７】
この戻しばね５２は、跳ね上げた排紙フレーム５１を閉じるとき、図６において、排紙フレーム５１を矢印Ｂと逆方向に回転させた後、排紙フレーム５１を、図５の矢印Ａと逆方向に引き戻す機能の他、排紙フレーム５１が閉じた後、第２搬送ローラ２２を第１搬送ローラ２１の外周に圧接させる機能を果たす。
【００４８】
重要なのは後者の機能であって、この機能を満足する構造であれば、いかなる構造であってもよいことは明らかである。
【００４９】
以上、一実施形態に基づいて本発明を説明したが、本発明は、これに限定されるものでないことは明らかである。
【００５０】
【発明の効果】
本発明では、排紙フレームを閉じたときの安定性に優れるとともに、排紙フレームを開くときにも、それほど大きな力を必要としない。
【図面の簡単な説明】
【図１】本発明に係る記録装置の一実施の形態が適用されたドットインパクトプリンタのプリンタ本体を示す断面図である。
【図２】図１のプリンタ本体を示す斜視図である。
【図３】図２のものからリボンカートリッジを外した状態を示す斜視図である。
【図４】図３の記録ヘッド及びキャリッジ等の側面図である。
【図５】排紙フレームを閉じた使用状態を示す図である。
【図６】排紙フレームを開いた跳ね上げ状態を示す図である。
【図７】排紙フレームとフレーム間の連結構造を示す分解斜視図である。
【符号の説明】
１０  プリンタ（記録装置）
１６  左サイドフレーム
１７  右サイドフレーム
１８  記録ヘッド
１９  キャリッジ
２０  プラテン
２１  第１搬送ローラ（駆動ローラ）
２２  第２搬送ローラ（従動ローラ）
５０  排紙ユニット
５１  排紙フレーム
５２  戻しばね
５３  トラック形状を有する規制部材
５４  溝
５５  規制部
５６  突起
【図１】
0003979154.tif 000002
【図２】
0003979154.tif 000003
【図３】
0003979154.tif 000004
【図４】
0003979154.tif 000005
【図５】
0003979154.tif 000006
【図６】
0003979154.tif 000007
【図７】
0003979154.tif 000008